(57)【要約】【課題】  タイ文字による値札などのラベルを簡単に作成できるラベルプリンタを提供する。【解決手段】  本発明のタイ語ラベルプリンタは複数行複数列の文字パーツを表示可能な入力画面と、各キーに基本レベルの文字パーツが複数割り当てられ、押下回数に応じて入力候補である基本レベルの文字パーツを順次切り替える文字キーと、各キーに前記基本レベルの文字パーツと組み合わせる他のレベルの文字パーツが複数割り当てられ、押下回数に応じて入力候補である他のレベルの文字パーツを順次切り替える機能キーと、前記基本レベルの文字パーツおよび他のレベルの文字パーツを選択すると、この組み合わせに応じて各文字パーツを所定位置に配列させる配列手段と、前記各文字パーツを組み合わせて合成する合成手段とを備える。【選択図】        図８
2005212375.tif 000002
【特許請求の範囲】
【請求項１】
複数行複数列の文字パーツを表示可能な入力画面と、各キーに基本レベルの文字パーツが複数割り当てられ、押下回数に応じて入力候補である基本レベルの文字パーツを順次切り替える文字キーと、各キーに前記基本レベルの文字パーツと組み合わせる他のレベルの文字パーツが複数割り当てられ、押下回数に応じて入力候補である他のレベルの文字パーツを順次切り替える機能キーと、前記基本レベルの文字パーツおよび他のレベルの文字パーツを選択すると、この組み合わせに応じて各文字パーツを所定位置に配列させる配列手段と、前記各文字パーツを組み合わせて合成する合成手段とを備えたことを特徴とするタイ語ラベルプリンタ。
【発明の詳細な説明】
【技術分野】
【０００１】
本発明はタイ文字によるラベル作成に用いるタイ語ラベルプリンタに関し、特に、文字キー（テンキー）や機能キーによって複数のレベルの文字パーツを画面上に呼出し、これらを配列させてタイ語の一文字を合成し、逐次入力できるタイ語ラベルプリンタに関する。
【背景技術】
【０００２】
近年では商品に値段や商品名、賞味期限、内容量などを貼付するラベルの作成には、手書きに代わってラベルプリンタが用いられるようになっている。
【０００３】
ここで、欧米の言語のようにアルフアベット文字を利用する言語やロシア文字、ギリシア文字などを用いるラベルプリンタでは、キーボード上の各キーにそれぞれの文字を割り当てて直接入力することができる。
【０００４】
また、日本語のように漢字や仮名など多数の文字種を用いる言語では、文字コード入力やローマ字−かな漢字変換ソフトウエアを搭載したものが知られている。
【特許文献１】特開２００１−６７３５１号公報
【発明の開示】
【発明が解決しようとする課題】
【０００５】
ところが、タイ文字は他の外国語と共通部分がなく、子音字の上下左右を母音記号が取り囲んで、必要に応じて音調符号が追加されるという独特の文字であるため、従来のラベルプリンタでタイ語のラベルを作成することは出来なかった。一方、タイ語を母国語としない者が手書きでラベルに書き写すことは非常に困難であり、正確に書き写した積もりでも、タイ語として読み取れないものとなってしまう場合が多かった。
【０００６】
本発明は上記従来技術の問題に鑑みなされたもので、タイ文字による値札などのラベルを簡単に作成できるラベルプリンタを提供することを目的とするものである。
【課題を解決するための手段】
【０００７】
上記課題を解決するために、本発明のタイ語ラベルプリンタが採用する構成の特徴は、複数行複数列の文字パーツを表示可能な入力画面と、各キーに基本レベルの文字パーツが複数割り当てられ、押下回数に応じて入力候補である基本レベルの文字パーツを順次切り替える文字キーと、各キーに前記基本レベルの文字パーツと組み合わせる他のレベルの文字パーツが複数割り当てられ、押下回数に応じて入力候補である他のレベルの文字パーツを順次切り替える機能キーと、前記基本レベルの文字パーツおよび他のレベルの文字パーツを選択すると、この組み合わせに応じて各文字パーツを所定位置に配列させる配列手段と、前記各文字パーツを組み合わせて合成する合成手段とを備えたことにある。
【０００８】
上記構成によれば、基本レベルの文字パーツを選択し、これと組になる他のレベルの文字パーツを選択すると、各文字パーツは各々のレベルに応じて基本レベルの文字パーツの上下に配列されるので、文字パーツを確定すると各文字パーツが合成されてタイ語の一文字が完成する。こうして得られたタイ文字を行方向に並べてタイ語のラベルが作成できる。
【発明の効果】
【０００９】
本発明によれば、文字キー（テンキー）と機能キーを有効に利用して、手書きや英字用のラベルプリンタでは不可能であったタイ語のラベルが簡単に作成できる。そして、ラベルプリンタを用いれば当然得られる、タイ文字の文字サイズの変更、保存、およびバーコード印字などが可能になる。
【発明を実施するための最良の形態】
【００１０】
以下に本発明の好ましい実施の形態を図１ないし図８を参照して説明する。図１において、１はホストコンピュータ、２はラベルプリンタであり、該ラベルプリンタ２はその筐体上に入力装置としてのキーボード３、表示装置としての液晶画面４を備えている。また、筐体内には印字部としてのサーマル印字ヘッド５、ホストコンピュータ１や後述するメモリーカード１１等と接続するインタフェース６を備えている。これらはシステムバス７を介してメモリ８、ＣＰＵ（中央演算処理装置）９、不揮発性メモリ１０等に接続されている（図２参照）。
【００１１】
ラベルプリンタ２はホストコンピュータ１から送られてくる文字コードを受信し、ラベルプリンタ２内の文字コード表（図３）と照合してタイ文字に変換し、ラベルに印字することができる。また、キーボード３から直接手入力してタイ語のラベルを印字することもできる。
【００１２】
いずれの場合も、後述する基本レベルの文字パーツと他のレベルの文字パーツとのレベルによって各パーツの配置位置を決定してタイ文字を合成するようになっている。
【００１３】
１１はＥＥＰＲＯＭなどからなるメモリーカードであり、該メモリーカード１１には、例えばラベルプリンタ２を特定業務用モードや外国語モードで動作させるためのシステムプログラムやフォーマット、フォントなどが格納されている。本実施形態では、日本語や英字用のラベルプリンタにオプションのメモリーカード１１を装着して起動することによりタイ語モードで使用するラベルプリンタを例示して説明する。
【００１４】
１２はラベルプリンタ２に接続して使用するタッチスキャナであり、該タッチスキャナ１２は、例えば商品に予め添付されている商品コードや価格等のバーコードを読み取り、ラベルプリンタ２で価格変更したラベルを印字するような場合に利用できる。
【００１５】
次にタイ語の入力操作について説明する。
タイ語は図３に掲げる文字パーツを複数組み合わせて一文字を形成する。
図３の各文字パーツには、図４の対応する位置に示すL1〜L4の４つのランクが設けられている。L1はトップ（TOP）、L2は上方（ABOVE）、L3は基本（BASE）、L4は下方（BELOW）レベルである。また、Tは文字パーツではなく、L1〜L4の文字パーツとの組み合わせのない、単体印字コードである。なお、図４中のＢはブランクコードである。
【００１６】
そして、これらは図５に示す[1]〜[7]のいずれかの配置をとる。
ここで、文字形成に於いて、基本レベルのL3パーツは必ず使用され、また、L3パーツは単体使用が可能である。その他のレベルの文字パーツは単体での使用はできない。また、L2とL4の同時使用はなく、L1はL2との組み合わせが無いときはL2ポシションに配置されるようになっている。
【００１７】
図６はタイ語入力時のキーと文字の割付表であり、図７はキーボード３の正面図である。なお、特にタイ語モード時と断らない場合は通常の日本語や英字モード時の機能の説明である。
【００１８】
０〜９までのテンキーは、数字、英字、記号を入力する場合や、タイ語入力モードにおいて上記L3ポジションの文字パーツを入力するのに用いる。使用するキー名称と押下回数は図６の上部縦横罫線に示す通りである。
【００１９】
上記テンキー（文字キー）を除く、残りの機能キー（ファンクションキー）は、L3ポシション以外の文字パーツや単体印字コードの文字を入力するために用いられる。なお、使用するキー名称と押下回数は上記の場合と同様、図６の上部縦横罫線に示す通りである（以下、同様）。
【００２０】
FNC1はタイ語入力モード時に、L1ポジションの文字パーツを入力するのに用いる。
FMTは、このキーを押しながら電源スイッチ１３を投入することによりプリンタの初期設定画面を呼び出すのに用いる。
PGUPは前画面に戻るのに用いる。
FNC2はタイ語入力モード時に、L2ポジションの文字パーツを入力するのに用いる。
RCLは各種業務実行中に処理の先頭画面を表示するのに用いる。
SHFTは品名入力時に他のキーと併用することで大文字／小文字を切り換えたり、スペースの入力に用いる。
SETは品名入力で入力文字種を切り換えるのに用いる。
DATEはタイ語入力モード時に変換中の文字をキャンセルするのに用いる。
DELはカーソル位置にあるデータを削除するのに用いる。
FEEDはラベルを1枚送り出すのに用いる。またタイ語入力モード時に、タイ文字のL4ポジションを表示するのに用いる。
S/Sはラベル発行時に発行を終了するのに用いる。またタイ語入力モード時にタイ文字Tの単体コードを表示するのに用いる。
ACは入力したデータをクリアするのに用いる。
．は記号を入力するのに用いる。また、タイ語入力モード時にタイ語の数字０〜９を表示するのに用いる。
ENTERは入力したデータを確定し、次の画面に移行するのに用いる。
↑、↓、←、→の矢印キーはカーソルをその方向に移動するのに用いる。
【００２１】
以上のキーを用いて図５に示すタイ文字を作成するには以下のように操作する。
[1] L3の入力操作
1）［０〜９］キーを押下し、L3を決定する。
2）L3が表示される。
[2] L3+L1の入力操作
1）［０〜９］キーを押下し、L3を決定する。
2）［FNC1］キーを押下し、L1を決定する。
3）L3とL1が合成され、表示される。
[3] L3＋L2の入力操作
1）［０〜９］キ−を押下し、L3を決定する。
2）［FNC2］キーを押下し、L2を決定する。
3）L3とL2が合成され、表示される。
[4] L3＋L4の入力操作
1）［０〜９］キーを押下し、L3を決定する。
2）［FEED］キーを押下し、L4を決定する。
3）L3＋L4が合成され、表示される。
[5] L1＋L2＋L3の入力操作
1）［０〜９］キーを押下し、L3を決定する。
2）［FNC1］キーを押下し、L1を決定する。
3）［FNC2］キーを押下し、L2を決定する。
4）L3、L1、L2が合成され、表示される。
[6] L1＋L3＋L4の入力操作
1）［０〜９］キーを押下し、L3を決定する。
2）［FNC1］キーを押下し、L1を決定する。
3）［FEED］キーを押下し、L4を決定する。
4）L3、L1、L4が合成され、表示される。
[7] Tの入力操作
1）［S/S］または［．］キーを押下し、Tを決定する。
2）Tが表示される。
【００２２】
なお、上記[1[〜[7]の操作において、基本レベルのパーツであるL3入力後のL1、L2、L4の入力順序は作成されるタイ文字に影響しない。また、L2とL4は同一文字に同時使用はできない。
また、文字編集中、［DATE］キーを押下した場合、L3だけの表示に戻るようになっている。
【００２３】
そして、より具体的な入力例は図８に図示のようになる。
かくして、本実施形態によれば、文字キー（テンキー）と機能キーを有効に利用して、手書きや英字用のラベルプリンタでは不可能であったタイ語のラベルが簡単に作成できる。そして、ラベルプリンタを用いれば当然得られる、タイ文字の文字サイズの変更、保存、およびバーコード印字などが可能になる。
【図面の簡単な説明】
【００２４】
【図１】本発明実施例を示す図である。
【図２】タイ語ラベルプリンタの内部構成を示すブロック図である。
【図３】タイ文字パーツのコード用である。
【図４】図３のタイ文字パーツのレベル一覧図である。
【図５】タイ文字パーツの入力規則図である。
【図６】タイ文字パーツのキー割付図である。
【図７】ラベルプリンタの操作パネル（キーボード、液晶画面）を示す図である。
【図８】具体的なタイ文字入力の操作説明図である。
【符号の説明】
【００２５】
２…ラベルプリンタ、３…キーボード、４…液晶画面
【図１】
2005212375.tif 000003
【図２】
2005212375.tif 000004
【図３】
2005212375.tif 000005
【図４】
2005212375.tif 000006
【図５】
2005212375.tif 000007
【図６】
2005212375.tif 000008
【図７】
2005212375.tif 000009
【図８】
2005212375.tif 000010